(57)【特許請求の範囲】
【請求項１】
ドメイン名を構築及び使用するための方法であって、
無線ネットワークノードを識別するための無線ネットワークノード識別子の少なくとも一部と、無線ネットワーク・オペレータ識別子とに基づいて、オペレーションまたはメンテナンス（ＯＭ）ノードに関連付けられたドメイン名を構築するステップと、
前記無線ネットワークノードが、前記構築されたドメイン名をドメインネームサーバに送信するステップと、
前記構築されたドメイン名の送信に応じて、前記無線ネットワークノードが、前記ＯＭノードのＩＰアドレスを前記ドメインネームサーバから受信するステップと、
前記無線ネットワークノードが、前記ＩＰアドレスを使用して前記ＯＭノードへの接続を開始するステップと
を含むことを特徴とする方法。
【請求項２】
前記無線ネットワークノード識別子の前記一部は、無線ネットワークノード・ベンダ識別子であり、
前記ドメイン名は、前記無線ネットワークノード・ベンダ識別子と、前記無線ネットワーク・オペレータ識別子の少なくとも一部とを使用して構築される
ことを特徴とする請求項１に記載の方法。
【請求項３】
前記ドメイン名は、エリア識別子情報を更に含むことを特徴とする請求項２に記載の方法。
【請求項４】
前記エリア識別子情報は、トラッキングエリア識別子、ロケーションエリア識別子、またはルーティングエリア識別子であることを特徴とする請求項３に記載の方法。
【請求項５】
前記無線ネットワークノード識別子は、前記無線ネットワークノード識別子に関連付けられた、国際モバイル装置識別子（ＩＭＥＩ）、または、国際モバイル装置識別子及びソフトウェア・バージョン番号（ＩＭＥＩＳＶ）であり、
前記無線ネットワークノード識別子の前記一部は、前記ＩＭＥＩまたはＩＭＥＩＳＶのタイプ割当コード（ＴＡＣ）部分である
ことを特徴とする請求項１に記載の方法。
【請求項６】
前記無線ネットワークノードに関連付けられた加入者識別子から、無線ネットワーク・オペレータ識別子を決定するステップを更に含むことを特徴とする請求項１に記載の方法。
【請求項７】
前記加入者識別子は、国際モバイル加入者識別子（ＩＭＳＩ）であり、
前記決定された無線ネットワーク・オペレータ識別子は、モバイルネットワークコード（ＭＮＣ）及びモバイルカントリーコード（ＭＣＣ）を含む
ことを特徴とする請求項６に記載の方法。
【請求項８】
前記無線ネットワークノードは中継ノードであることを特徴とする請求項１に記載の方法。
【請求項９】
前記無線ネットワークノードは基地局ノードであることを特徴とする請求項１に記載の方法。
【請求項１０】
前記構築するステップは、前記無線ネットワークノードによって実行されることを特徴とする請求項１に記載の方法。
【請求項１１】
前記構築するステップは、前記無線ネットワークノードとは異なるノードによって実行されることを特徴とする請求項１に記載の方法。
【請求項１２】
少なくとも第１のＯＭノードは、第１の無線ネットワークノードを供給する第１のベンダに関連付けられており、少なくとも第２のＯＭノードは、第２の無線ネットワークノードを供給する第２のベンダに関連付けられており、
前記方法は、
前記第１のベンダを識別する、前記第１の無線ネットワークノードの無線ネットワークノード識別子の一部と、前記無線ネットワーク・オペレータ識別子とに基づいて、前記第１のＯＭノードに関連付けられた第１のドメイン名を構築するステップと、
前記構築された第１のドメイン名を前記ドメインネームサーバに送信するステップと、
前記構築された第１のドメイン名の送信に応じて、前記第１のＯＭノードの第１のＩＰアドレスを前記ドメインネームサーバから受信するステップと、
前記第１の無線ネットワークノードが、前記第１のＩＰアドレスを使用して前記第１のＯＭノードへの接続を開始するステップと、
前記第２のベンダを識別する、前記第２の無線ネットワークノードの無線ネットワークノード識別子の一部と、前記無線ネットワーク・オペレータ識別子とに基づいて、前記第２のＯＭノードに関連付けられた第２のドメイン名を構築するステップと、
前記構築された第２のドメイン名を前記ドメインネームサーバに送信するステップと、
前記構築された第２のドメイン名の送信に応じて、前記第２のＯＭノードの第２のＩＰアドレスを前記ドメインネームサーバから受信するステップと、
前記第２の無線ネットワークノードが、前記第２のＩＰアドレスを使用して前記第２のＯＭノードへの接続を開始するステップと
を更に含むことを特徴とする請求項１に記載の方法。
【請求項１３】
少なくとも第１のＯＭノードは、第１のトラッキングエリアに関連付けられており、少なくとも第２のＯＭノードは、第２のトラッキングエリアに関連付けられており、
前記方法は、
第１のトラッキングエリアコードによって識別される前記第１のトラッキングエリアに位置する第１の無線ネットワークノードの無線ネットワークノード識別子の一部と、前記無線ネットワーク・オペレータ識別子とに基づいて、前記第１のＯＭノードに関連付けられた第１のドメイン名を構築するステップと、
前記構築された第１のドメイン名を前記ドメインネームサーバに送信するステップと、
前記構築された第１のドメイン名の送信に応じて、前記第１のＯＭノードの第１のＩＰアドレスを前記ドメインネームサーバから受信するステップと、
前記第１の無線ネットワークノードが、前記第１のＩＰアドレスを使用して前記第１のＯＭノードへの接続を開始するステップと、
第２のトラッキングエリアコードによって識別される前記第２のトラッキングエリアに位置する第２の無線ネットワークノードの無線ネットワークノード識別子の一部と、前記無線ネットワーク・オペレータ識別子とに基づいて、前記第２のＯＭノードに関連付けられた第２のドメイン名を構築するステップと、
前記構築された第２のドメイン名を前記ドメインネームサーバに送信するステップと、
前記構築された第２のドメイン名の送信に応じて、前記第２のＯＭノードの第２のＩＰアドレスを前記ドメインネームサーバから受信するステップと、
前記第２の無線ネットワークノードが、前記第２のＩＰアドレスを使用して前記第２のＯＭノードへの接続を開始するステップと
を更に含むことを特徴とする請求項１に記載の方法。
【請求項１４】
無線ネットワークノードであって、
前記無線ネットワークノードを識別するための無線ネットワークノード識別子の少なくとも一部と、無線ネットワーク・オペレータ識別子とに基づいた、オペレーションまたはメンテナンス（ＯＭ）ノードに関連付けられたドメイン名を決定するデータプロセッサと、
前記ドメイン名をドメインネームサーバに送信するとともに、当該送信に応じて、前記ＯＭノードのＩＰアドレスを前記ドメインネームサーバから受信するドメインネームサーバ・インタフェース回路と、
前記ＩＰアドレスを使用して前記ＯＭノードへの接続を開始する通信回路と
を備えることを特徴とする無線ネットワークノード。
【請求項１５】
前記無線ネットワークノード識別子の前記一部は、無線ネットワークノード・ベンダ識別子であり、
前記ドメイン名は、前記無線ネットワークノード・ベンダ識別子と、前記無線ネットワーク・オペレータ識別子の少なくとも一部とを使用して決定される
ことを特徴とする請求項１４に記載の無線ネットワークノード。
【請求項１６】
前記ドメイン名は、エリア識別子情報を含むことを特徴とする請求項１４に記載の無線ネットワークノード。
【請求項１７】
前記エリア識別子情報は、トラッキングエリア識別子、ロケーションエリア識別子、またはルーティングエリア識別子であることを特徴とする請求項１６に記載の無線ネットワークノード。
【請求項１８】
前記無線ネットワークノード識別子は、前記無線ネットワークノード識別子に関連付けられた、国際モバイル装置識別子（ＩＭＥＩ）、または、国際モバイル装置識別子及びソフトウェア・バージョン番号（ＩＭＥＩＳＶ）であり、
前記無線ネットワークノード識別子の前記一部は、前記ＩＭＥＩまたはＩＭＥＩＳＶのタイプ割当コード（ＴＡＣ）部分である
ことを特徴とする請求項１４に記載の無線ネットワークノード。
【請求項１９】
前記データプロセッサは、前記無線ネットワークノードに関連付けられた加入者識別子から、無線ネットワーク・オペレータ識別子を決定することを特徴とする請求項１４に記載の無線ネットワークノード。
【請求項２０】
前記加入者識別子は、国際モバイル加入者識別子（ＩＭＳＩ）であり、
前記決定された無線ネットワーク・オペレータ識別子は、モバイルネットワークコード（ＭＮＣ）及びモバイルカントリーコード（ＭＣＣ）を含む
ことを特徴とする請求項１９に記載の無線ネットワークノード。
【請求項２１】
前記無線ネットワークノードは中継ノードであることを特徴とする請求項１４に記載の無線ネットワークノード。
【請求項２２】
前記無線ネットワークノードは基地局ノードであることを特徴とする請求項１４に記載の無線ネットワークノード。
【請求項２３】
少なくとも第１のＯＭノードは、第１の無線ネットワークノードを供給する第１のベンダに関連付けられており、少なくとも第２のＯＭノードは、第２の無線ネットワークノードを供給する第２のベンダに関連付けられており、
前記データプロセッサは、前記第１のベンダを識別する、前記第１の無線ネットワークノードの無線ネットワークノード識別子の一部と、前記無線ネットワーク・オペレータ識別子とに基づいた、前記第１のＯＭノードに関連付けられた第１のドメイン名を決定し、
前記ドメインネームサーバ・インタフェース回路は、前記第１のドメイン名を前記ドメインネームサーバに送信するとともに、当該送信に応じて、前記第１のＯＭノードの第１のＩＰアドレスを前記ドメインネームサーバから受信し、
前記通信回路は、前記第１のＩＰアドレスを使用して前記第１のＯＭノードへの接続を開始し、
前記データプロセッサは、前記第２のベンダを識別する、前記第２の無線ネットワークノードの無線ネットワークノード識別子の一部と、前記無線ネットワーク・オペレータ識別子とに基づいた、前記第２のＯＭノードに関連付けられた第２のドメイン名を決定し、
前記ドメインネームサーバ・インタフェース回路は、前記第２のドメイン名を前記ドメインネームサーバに送信するとともに、当該送信に応じて、前記第２のＯＭノードの第２のＩＰアドレスを前記ドメインネームサーバから受信し、
前記通信回路は、前記第２のＩＰアドレスを使用して前記第２のＯＭノードへの接続を開始する
ことを特徴とする請求項１４に記載の無線ネットワークノード。
【請求項２４】
少なくとも第１のＯＭノードは、第１のトラッキングエリアに関連付けられており、少なくとも第２のＯＭノードは、第２のトラッキングエリアに関連付けられており、
前記データプロセッサは、第１のトラッキングエリアコードによって識別される前記第１のトラッキングエリアに位置する第１の無線ネットワークノードの無線ネットワークノード識別子の一部と、前記無線ネットワーク・オペレータ識別子とに基づいた、前記第１のＯＭノードに関連付けられた第１のドメイン名を決定し、
前記ドメインネームサーバ・インタフェース回路は、前記第１のドメイン名を前記ドメインネームサーバに送信するとともに、当該送信に応じて、前記第１のＯＭノードの第１のＩＰアドレスを前記ドメインネームサーバから受信し、
前記通信回路は、前記第１のＩＰアドレスを使用して前記第１のＯＭノードへの接続を開始し、
前記データプロセッサは、第２のトラッキングエリアコードによって識別される前記第２のトラッキングエリアに位置する第２の無線ネットワークノードの無線ネットワークノード識別子の一部と、前記無線ネットワーク・オペレータ識別子とに基づいた、前記第２のＯＭノードに関連付けられた第２のドメイン名を決定し、
前記ドメインネームサーバ・インタフェース回路は、前記第２のドメイン名を前記ドメインネームサーバに送信するとともに、当該送信に応じて、前記第２のＯＭノードの第２のＩＰアドレスを前記ドメインネームサーバから受信し、
前記通信回路は、前記第２のＩＰアドレスを使用して前記第２のＯＭノードへの接続を開始する
ことを特徴とする請求項１４に記載の無線ネットワークノード。
【請求項２５】
前記データプロセッサは、前記ドメイン名を構築することによって前記ドメイン名を決定することを特徴とする請求項１４に記載の無線ネットワークノード。
【請求項２６】
前記データプロセッサは、他のノードから前記ドメイン名を受信することによって前記ドメイン名を決定することを特徴とする請求項１４に記載の無線ネットワークノード。
【発明の詳細な説明】
【技術分野】
【０００１】
本技術は、無線通信システム内の１つ以上の無線ネットワークノードによるＯ＆Ｍシステムの発見について記述する。
【背景技術】
【０００２】
セルラモバイル無線通信システムは、無線基地局（ＲＢＳ：Radio Base Station）のような、地理的エリア（例えば、セル）内で無線接続を移動局（ＭＳ：Mobile Station）にサービスする中継ノード（ＲＮ：Relay Node）を導入している。中継ノードは、典型的には、同一タイプの無線接続を、中継ノード自体のバックホール（backhaul）通信に、ＭＳとの通信に使用されている周波数と同一または異なる周波数で使用する。中継ノードのバックホール通信の送信先の基地局は、ドナーノード（ＤＮ：Donor Node）と称される。
【０００３】
中継ノードは、通常、当該中継ノード自体の無線ネットワーク管理を処理するための制御機能を実行する。中継ノードが設置されると、当該中継ノードは、システム内のオペレーション用に適切に設定されることが可能になるように、設定情報（configuration information）の受信を必要とする。今日、当該設定は、主としてオペレーション及びメンテナンス（Ｏ＆Ｍ：Operations and Maintenance）システムノードから提供される。ただし、バックホール無線設定の一部は、ドナーノード（ＤＮ）から提供されうる。Ｏ＆Ｍシステムから設定情報を得るためには、中継ノードは、適切なＯ＆Ｍシステムノードを見つけ、そのノードに対して接続する必要がある。そのＯ＆Ｍノードへのネットワークアドレス（例えば、ＩＰアドレス）は、中継ノード内の事前設定によって提供されうるか、あるいは、設置前に中継ノードに関連付けられたか、若しくは設置時に中継ノードに設けられた加入者識別モジュール（ＳＩＭ）カードによって提供されうる。また、Ｏ＆Ｍノードへのアドレスは、動的ホスト設定プロトコル（ＤＨＣＰ）サーバからブートサーバアドレスとして受信されてもよい。
【０００４】
本願の技術に関連する他の技術分野は、セルラネットワークにおけるアイドルモード・モビリティ管理である。各基地局は、地理的エリアをカバーし、複数の基地局のセットは、典型的には当該セット内の各基地局によってブロードキャストされるエリア識別子によって識別される、より広い地理的エリアをカバーする。アイドルの移動無線局が移動すると、当該移動無線局は、ブロードキャストされるエリア識別子をチェックするとともに、当該エリア識別子が以前の基地局のエリア識別子と異なる場合、エリア更新手順（area update procedure）によってセルラシステムに通知する。このようにして、移動局のおおよその位置がセルラシステムによって知られることになり、これは、例えば、当該システムが着呼に対応する移動局に対する連絡を確立しようとする際に有用である。
【０００５】
本願の技術に関連する他の技術分野は、完全修飾ドメイン名（ＦＱＤＮ：Fully Qualified Domain Name）である。ＦＱＤＮは、インターネットのようなルーティングされるネットワーク上の特定のコンピュータまたはホストについての完全なドメイン名である。ドメインネームサーバは、ＦＱＤＮをキーとして用いて、ホストのＩＰアドレスを検索できる。ＦＱＤＮは、無線通信ネットワーク・オペレータのネットワークにおける特定のホストの完全なドメイン名を特定するために、第３世代パートナシップ・プロジェクト（３ＧＰＰ）によっても使用されている。
【０００６】
コアネットワーク・ノードのＩＰアドレスは、完全修飾ドメイン名（ＦＱＤＮ）をキーとして用いて、ドメインネームシステム（ＤＮＳ）との通信によって復元されうる。ドメイン名を編集するための命名の例が、本明細書で援用する非特許文献１に記載されている。また、本明細書で更に援用する非特許文献２は、ＤＮＳオペレーションに関する詳細を提供する。
【０００７】
モバイル加入者の居住地が含まれる国を固有に識別するモバイルカントリーコード（ＭＣＣ：Mobile Country Code）と、当該国内の無線ネットワーク・オペレータを識別するモバイルネットワークコード（ＭＮＣ：Mobile Network Code）とを復元するために、モバイル加入者に関連付けられる国際モバイル加入者識別子（ＩＭＳＩ：International Mobile Subscriber Identity）が使用されうる。非特許文献１の第13.2節からの、ＩＰマルチメディアサブシステム（ＩＭＳ）ホームネットワーク・ドメイン名を取得するための以下の第１の例について検討する。３ＧＰＰシステムでは、ユーザ装置（ＵＥ）は、以下にステップに記載されるように、モバイル加入者のＩＭＳＩからホームネットワーク・ドメイン名を導き出す。
１．  ２または３桁のＭＮＣが使用されているかどうかに応じて（3GPP TS 31.102を参照。）、ＩＭＳＩの最初の５または６桁を、ＭＣＣ及びＭＮＣに分離する。
２．  ステップ１で導き出されたＭＣＣ及びＭＮＣを使用して、“mnc＜MNC＞.mcc＜MCC＞.3gppnetwork.org”ドメイン名を作成する。
３．  当該ドメインの先頭に、ラベル“ims.”を付加する。
本例の結果、使用されているＩＭＳＩに対応するホームネットワーク・ドメイン名は、234150999999999となり、ここで、
ＭＣＣ＝234
ＭＮＣ＝15
ＭＳＩＮ＝0999999999
である。これにより、ホームネットワーク・ドメイン名
ims.mnc015.mcc234.3gppnetwork.org
がもたらされる。第２の関連する例は、非特許文献１の第19.2節からの、ＥＰＣホームネットワーク・レルム／ドメインであり、
epc.mnc015.mcc234.3gppnetwork.org
がもたらされる。
【０００８】
導き出されるドメイン名の第３の例は、非特許文献１の第19.4.2.3節からの、トラッキングエリア識別子ＦＱＤＮである。トラッキングエリア識別子（ＴＡＩ：Tracking Area Identity）は、トラッキングエリアコード（ＴＡＣ：Tracking Area Code）、ＭＮＣ及びＭＣＣを含む。この非限定的な例では、ＴＡＣは１６ビットの整数である。＜TAC-high-byte＞は、ＴＡＣの最上位バイトの、１６進数の文字列であり、＜TAC-low-byte＞は、最下位バイトの、１６進数の文字列である。＜TAC-high-byte＞または＜TAC-low-byte＞が２有効桁未満である場合、２桁コーディングを埋めるために、（１つ以上の）“0”が左側に挿入される。ＴＡＩ ＦＱＤＮは、
tac-lb＜TAC-low-byte＞.tac-hb＜TAC-high-byte＞.tac.epc.mnc＜MNC＞.mcc＜MCC＞.3gppnetwork.org
のように編集される。
【０００９】
導き出されるドメイン名の第４の例は、非特許文献１の第19.4.2.4節からの、ＭＭＥノードＦＱＤＮである。オペレータのネットワーク内のモビリティ管理エンティティ（ＭＭＥ：Mobility Management Entity）は、ＭＭＥグループＩＤ（ＭＭＥＧＩ）及びＭＭＥコード（ＭＭＥＣ）を用いて識別される。ＭＭＥノードのＦＱＤＮは、
mmec＜MMEC＞.mmegi＜MMEGI＞.mme.epc.mnc＜MNC＞.mcc＜MCC＞.3gppnetwork.org
として構築され、ここで、＜MMEC＞及び＜MMEGI＞は、ＭＭＥＣ及びＭＭＥＧＩの１６進数の文字列である。ＭＭＥプールＦＱＤＮは、
mmegi＜MMEGI＞.mme.epc.mnc＜MNC＞.mcc＜MCC＞.3gppnetwork.org
として構築される。
【００１０】
各ＳＩＭ、各中継ノード、または任意の各無線ネットワークノードに、事前にまたは統合中にＯ＆Ｍデータを転送できるように、ＳＩＭ、中継ノード、または任意の無線ネットワークノードに、Ｏ＆Ｍノードのアドレスを事前設定することには問題がある。例えば、Ｏ＆Ｍノード・アドレスをＤＨＣＰサーバから取り出すことができるためには、無線ネットワークノードにサービングする全てのＤＨＣＰサーバに、それぞれのタイプの無線ネットワークノード用に使用される全てのＯ＆Ｍノードのアドレスが設定されていなければならない。必要なのは、Ｏ＆Ｍノードのアドレスを取得するための、無線ネットワークノード用のより簡易な技術である。更に、その技術によって、種々のベンダ及び複数のトラッキングエリアの少なくともいずれかからの無線ネットワークノード用の、種々のＯ＆Ｍノード・アドレスを、当該情報を例えばＤＨＣＰサーバに設定する必要なく処理されることが望ましいであろう。
【先行技術文献】
【非特許文献】
【００１１】
【非特許文献１】3GPP TS 23.003 V9.4.0 “Numbering, addressing and identification”
【非特許文献２】3GPP TS 29.303 V9.2.0 “Domain Name System Procedures”
【発明の概要】
【００１２】
無線ネットワークノードのオペレータ及び／またはメンテナンス（ＯＭ）ノードに関連付けられたドメイン名が、当該無線ネットワークノードを識別するための無線ネットワークノード識別子の一部と、無線ネットワーク・オペレータ識別子とに基づいて決定される。無線ネットワークノードは、例えば、中継ノード、基地局ノード等であってもよい。無線ネットワークノードは、構築されたドメイン名をドメインネームサーバに送信する。構築されたドメイン名の送信に応じて、無線ネットワークノードは、ＯＭノードのＩＰアドレスをドメインネームサーバから受信する。その後、無線ネットワークノードは、当該ＩＰアドレスを使用してＯＭサーバへの接続を開始する。
【００１３】
一実施形態では、無線ノード識別子の一部は、無線ネットワークノード・ベンダ識別子であり、ドメイン名は、無線ネットワークノード・ベンダ識別子と、無線ネットワーク・オペレータ識別子の少なくとも一部とを使用して決定される。
【００１４】
他の実施形態では、ドメイン名は、エリア識別子を用いて構築され、その非限定的な例は、トラッキングエリア識別子、ロケーションエリア識別子、及びルーティングエリア識別子の一部または全てを含む。
【００１５】
他の実施形態では、無線ネットワークノード識別子は、無線ネットワークノード識別子に関連付けられた、国際モバイル装置識別子（ＩＭＥＩ：International Mobile Equipment Identity）、または、国際モバイル装置識別子及びソフトウェア・バージョン番号（ＩＭＥＩＳＶ：International Mobile Equipment Identity and Software Version number）であり、無線ネットワークノード識別子の一部は、ＩＭＥＩまたはＩＭＥＩＳＶのタイプ割当コード（ＴＡＣ）部分である。
【００１６】
無線ネットワーク・オペレータ識別子は、無線ネットワークノードに関連付けられた加入者識別子から決定されてもよい。例えば、加入者識別子は、国際モバイル加入者識別子（ＩＭＳＩ）であってもよく、決定された無線ネットワーク・オペレータ識別子は、モバイルネットワークコード（ＭＮＣ）及びモバイルカントリーコード（ＭＣＣ）を含む。
【００１７】
本技術は、複数のベンダがＯＭノードを供給する状況に適用されてもよい。例えば、第１のＯＭノードは、第１の無線ネットワークノードを供給する第１のベンダに関連付けられており、第２のＯＭノードは、第２の無線ネットワークノードを供給する第２のベンダに関連付けられている。第１のベンダを識別する、第１の無線ネットワークノードの無線ノード識別子の一部と、無線ネットワーク・オペレータ識別子とに基づいて、第１のＯＭノードに関連付けられた第１のドメイン名が決定される。第１のドメイン名がドメインネームサーバに送信されるとともに、当該送信に応じて、第１のＯＭノードの第１のＩＰアドレスが受信される。その後、第１のＩＰアドレスを使用して第１のＯＭノードへの接続が開始される。同様に、第２のベンダを識別する、第２の無線ネットワークノードの無線ノード識別子の一部と、無線ネットワーク・オペレータ識別子とに基づいて、第２のＯＭノードに関連付けられた第２のドメイン名が決定される。第２のドメイン名がドメインネームサーバに送信されるとともに、当該送信に応じて、第２のＯＭノードの第２のＩＰアドレスが受信される。その後、第２のＩＰアドレスを使用して第２のＯＭノードへの接続が開始される。
【００１８】
本技術は、複数のトラッキングエリアが存在する状況に適用されてもよい。例えば、第１のＯＭノードは、第１のトラッキングエリアに関連付けられており、第２のＯＭノードは、第２のトラッキングエリアに関連付けられている。第１のトラッキングエリアコードによって識別される第１のトラッキングエリアに位置する第１の無線ネットワークノードの無線ノード識別子の一部と、無線ネットワーク・オペレータ識別子とに基づいて、第１のＯＭノードに関連付けられた第１のドメイン名が決定される。第１のドメイン名がドメインネームサーバに送信されるとともに、当該送信に応じて、第１のＯＭノードの第１のＩＰアドレスが受信される。その後、第１のＩＰアドレスを使用して第１のＯＭノードへの接続が開始される。同様に、第２のトラッキングエリアコードによって識別される第２のトラッキングエリアに位置する第２の無線ネットワークノードの無線ノード識別子の一部と、無線ネットワーク・オペレータ識別子とに基づいて、第２のＯＭノードに関連付けられた第２のドメイン名が決定される。第２のドメイン名がドメインネームサーバに送信されるとともに、当該送信に応じて、第２のＯＭノードの第２のＩＰアドレスが受信される。その後、第２のＩＰアドレスを使用して第２のＯＭノードへの接続が開始される。
【００１９】
一実施形態では、無線ネットワークノードは、ドメイン名を構築することによって当該無線ネットワークノード自体が決定する。他の実施形態では、無線ネットワークノードは、他のノードからドメイン名を受信することによって当該ドメイン名を決定する。
【図面の簡単な説明】
【００２０】
【図１】Ｏ＆Ｍノードのネットワークアドレスを決定するための手順の非限定的な例を示すフローチャート。
【図２】本願の技術が採用されうる、３ＧＰＰタイプの無線通信システムの非限定的な例を示す機能ブロック図。
【図３】図２に示す非限定的な例の３ＧＰＰタイプの無線通信システムにおける、Ｏ＆Ｍノード・ネットワークアドレスを決定するための手順の非限定的な例を示すフローチャート。
【図４】第１の中継ノードＲＮ１とＤＮＳサーバとの間の通信のやりとりを示す、図２に示す非限定的な例の３ＧＰＰタイプの無線通信システムについての機能ブロック図。
【図５】第１の中継ノードＲＮ１のＯ＆Ｍノードにアドレス指定される当該第１の中継ノードＲＮ１からの初期通信を示す、図２に示す非限定的な例の３ＧＰＰタイプの無線通信システムについての機能ブロック図。
【図６】第１の中継ノードＲＮ１のＯ＆Ｍノードにアドレス指定される当該第１の中継ノードＲＮ１からの、第２の中継ノードＲＮ２の、異なるＯ＆Ｍノードにアドレス指定される当該第２の中継ノードＲＮ２からの、及び、第３の中継ノードＲＮ３の、異なるＯ＆Ｍノードにアドレス指定される当該第３の中継ノードＲＮ３からの初期通信を示す、図２に示す非限定的な例の３ＧＰＰタイプの無線通信システムについての機能ブロック図。
【図７】図４乃至図６に示される例に対応する、非限定的な例のシグナリング図。
【図８】無線ネットワークノードの、非限定的な例の機能ブロック図。
【発明を実施するための形態】
【００２１】
以下の説明では、説明を目的とし、限定を目的とすることなく、具体的な実施形態等の具体的詳細について説明する。ただし、これらの具体的詳細から逸脱した他の実施形態を採用しうることが、当業者には理解されよう。いくつかの例では、周知の方法、インタフェース、回路及びデバイスについての詳細な説明は、無用な詳細によって説明をわかりにくくしないように、省略している。様々なノードに対応する図面には、個別のブロックが示されうる。それらのブロックの機能が、個別のハードウェア回路を使用して、適切にプログラミングされたデジタル・マイクロ・プロセッサまたは汎用コンピュータとともにソフトウェア・プログラム及びデータを使用して、特定用途向け集積回路（ＡＳＩＣ）を使用して、及び／または、１つ以上のデジタル・シグナル・プロセッサを使用して実装されうることが、当業者には理解されよう。無線インタフェースを使用して通信するノードは、適切な無線通信回路も有している。ソフトウェア・プログラム命令及びデータは、一時的でない（non-transitory）コンピュータ読取可能な記憶媒体に格納されうるとともに、当該命令がコンピュータまたは他の適切なプロセッサによって実行された際に、当該コンピュータまたはプロセッサは、その命令に関連する機能を実行する。
【００２２】
このため、例えば、本書の図面が、例示的な回路または他の機能部についての概念図を表しうることは、当業者には理解されよう。同様に、任意のフローチャート、状態遷移図、擬似コード等が、コンピュータまたはプロセッサが明示的に示されているか否かにかかわらず、コンピュータ読取可能な媒体で実質的に表されうる様々なプロセスであって、かつ、それによりコンピュータまたはプロセッサで実行されうる様々なプロセスを表すことが、当業者には理解されよう。
【００２３】
図示されている様々な要素の機能は、回路ハードウェア、及びコンピュータ読取可能な媒体に格納されたコード化された命令の形式のソフトウェアを実行可能なハードウェアの少なくともいずれか等のハードウェアの使用を通じて提供されてもよい。このため、そのような機能及び図示されている機能ブロックは、ハードウェア実装型及びコンピュータ実装型の少なくともいずれかであるものとして、また、それ故に機械実装型であるものとして理解される。
【００２４】
ハードウェア実装に関して、機能ブロックは、限定することなく、デジタル・シグナル・プロセッサ（ＤＳＰ）ハードウェア、縮小命令セット・プロセッサ、特定用途向け集積回路（ＡＳＩＣ）及び（１つ以上の）フィールド・プログラマブル・ゲート・アレイ（ＦＰＧＡ）の少なくともいずれかを、それらに限定されることなく含むハードウェア（例えば、デジタルまたはアナログ）回路、並びに、（適切な場合には）そのような機能を実行可能なステート・マシンを、含むか包含しうる。
【００２５】
コンピュータ実装に関して、コンピュータは、一般に、１つ以上のプロセッサまたは１つ以上のコントローラを含むものと理解され、コンピュータ、プロセッサ及びコントローラという用語は、互いに代替可能に使用されうる。コンピュータ、プロセッサまたはコントローラによって機能が提供される場合、当該機能は、単一の専用のコンピュータ、プロセッサ若しくはコントローラによって、単一の共有のコンピュータ、プロセッサ若しくはコントローラによって、または、一部が共有若しくは分散されうる、複数の個別のコンピュータ、プロセッサ若しくはコントローラによって提供されうる。また、「プロセッサ」または「コントローラ」という用語は、そのような機能を実行可能であるか、ソフトウェアを実行可能であるか、またはその両方である、上記のハードウェアの例のような他のハードウェアも示す。
【００２６】
無線インタフェースを使用して通信するノードは、適切な無線通信回路を有している。以下で説明する非限定的な例の実施形態は、３ＧＰＰベースのシステムに関連するが、本技術は、任意のセルラ通信システムに対して適用されうる。以下の例では、無線ネットワークノードの例として中継ノードを使用する。しかし、本技術は、中継ノード以外の無線ネットワークノード（例えば、基地局ノード、ピコ基地局ノード、ホーム基地局ノード等）に対して適用されてもよい。また、「Ｏ＆Ｍノード」及び「ＯＭノード」という用語は、それぞれ、何らかの（１つ以上の）オペレーション機能及びメンテナンス機能の少なくとも１つを実行する、任意のアドレス指定可能なノードを包含する。
【００２７】
図１は、Ｏ＆Ｍノードのネットワークアドレスを決定するための手順の非限定的な例を示すフローチャートである。無線ネットワークノードのオペレーションまたはメンテナンス（ＯＭ）ノードに関連付けられたドメイン名が、無線ノード識別子の少なくとも一部と、無線ネットワーク・オペレータ識別子とに基づいて決定される（ステップＳ１）。１つの非限定的な実施形態では、無線ノード識別子の一部は、無線ネットワークノード・ベンダ識別子であり、無線ネットワーク・オペレータ識別子は、無線ネットワークノードに関連付けられた加入者識別子から決定される。無線ネットワークノードは、当該ドメイン名を、ドメインネームサーバに送信し（ステップＳ２）、構築した当該ドメイン名の送信に応じて、無線ネットワークノードは、ＯＭノードのＩＰアドレスをドメインネームサーバから受信する（ステップＳ３）。その後、無線ネットワークノードは、当該ＩＰアドレスを使用してＯＭノードとの接続を開始する（ステップＳ４）。ＯＭノードのドメイン名は、無線ネットワークノード自体によって構築されてもよいし、あるいは、他の何らかのノードによって無線ネットワークノードに対して提供されてもよい。
【００２８】
他の実施形態では、少なくとも第１のノードは、第１の無線ネットワークノードを供給する第１のベンダに関連付けられており、少なくとも第２のノードは、第２の無線ネットワークノードを供給する第２のベンダに関連付けられている。
第１のＯＭノードに関連付けられた第１のドメイン名は、第１のベンダを識別する、第１の無線ネットワークノードの無線ノード識別子の一部と、無線ネットワーク・オペレータ識別子とに基づいて決定される。第１の無線ネットワークノードは、第１のドメイン名をドメインネームサーバに送信し、それに応じて、ドメインネームサーバから、第１のＯＭノードの第１のＩＰアドレスを受信する。その後、第１の無線ネットワークノードは、第１のＩＰアドレスを使用して第１のＯＭノードとの接続を開始する。
同様に、第２のＯＭノードに関連付けられた第２のドメイン名は、第２のベンダを識別する、第２の無線ネットワークノードの無線ノード識別子の一部と、無線ネットワーク・オペレータ識別子とに基づいて決定される。第２の無線ネットワークノードは、構築した第２のドメイン名をドメインネームサーバに送信し、それに応じて、ドメインネームサーバから、第２のＯＭノードの第２のＩＰアドレスを受信する。その後、第２の無線ネットワークノードは、第２のＩＰアドレスを使用して第２のＯＭノードとの接続を開始する。
【００２９】
更に他の実施形態では、少なくとも第１のノードは、第１のトラッキングエリアに関連付けられており、少なくとも第２のノードは、第２のトラッキングエリアに関連付けられている。
第１のＯＭノードに関連付けられた第１のドメイン名は、第１のトラッキングエリアコードによって識別される第１のトラッキングエリアに位置する第１の無線ネットワークノードの無線ノード識別子の一部と、無線ネットワーク・オペレータ識別子とに基づいて決定される。第１の無線ネットワークノードは、第１のドメイン名をドメインネームサーバに送信し、それに応じて、ドメインネームサーバから、第１のＯＭノードの第１のＩＰアドレスを受信する。第１の無線ネットワークノードは、第１のＩＰアドレスを使用して第１のＯＭノードとの接続を開始する。
第２のＯＭノードに関連付けられた第２のドメイン名は、第２のトラッキングエリアコードによって識別される第２のトラッキングエリアに位置する第２の無線ネットワークノードの無線ノード識別子の一部と、無線ネットワーク・オペレータ識別子とに基づいて決定される。第２の無線ネットワークノードは、構築した第２のドメイン名をドメインネームサーバに送信し、それに応じて、ドメインネームサーバから、第２のＯＭノードの第２のＩＰアドレスを受信する。第２の無線ネットワークノードは、第２のＩＰアドレスを使用して第２のＯＭノードとの接続を開始する。
【００３０】
図２は、本願の技術が採用されうる、３ＧＰＰタイプの無線通信システム１０の非限定的な例を示す機能ブロック図である。システム１０は、複数の移動局（ＭＳ）１２及び１つ以上の中継ノード１６の少なくとも１つを含み、当該複数のＭＳの一部は、無線インタフェースを介して１つ以上のドナーノード１４（例えば、無線基地局）と通信する。３つの中継ノードＲＮ１、ＲＮ２及びＲＮ３の例が示されており、それらは２つの異なるベンダＡ及びＢに関連付けられている。ドナーノードは、クラウド１８として表される１つ以上のネットワークを通じて、１つ以上のドメインネームサーバ（例えばＤＮＳ３０を参照）、コアネットワーク２０内の１つ以上のノード、及びＯ＆Ｍノード２４に接続する。システム１０のカバレッジエリアは、本例では、トラッキングエリアＸ及びトラッキングエリアＹに分割される。エリアＸ及びＹは、それぞれ、複数のトラッキングエリアを含んでいてもよい。ベンダＡのＯ＆Ｍノード２２は、両エリア内の、ベンダＡの中継ノード（ＲＮ）を管理する一方、ベンダＢの中継ノードは、２つのＯ＆Ｍノード、即ち、エリアＸ内の１つの処理ノード（ＲＮＢ Ｏ＆Ｍ１）及びエリアＹ内の１つの処理ノード（ＲＮＢ Ｏ＆Ｍ２）によって管理される。中継ノードＲＮ１及びＲＮ２は、エリアＸに属するトラッキングエリア内に位置しており、中継ノードＲＮ３は、エリアＹに属するトラッキングエリア内に位置している。本例では、中継ノードのいずれもオペレーショナル（operational）ではなく、それ故に、各中継ノードは、対応するＯ＆Ｍノードを発見しなければならない。
【００３１】
中継ノードは、無線インタフェースを介したバックホールを理由として、移動局に似ており、その結果、各中継ノードは、国際モバイル装置識別子（ＩＭＥＩ）番号、国際モバイル装置識別子及びソフトウェア・バージョン番号（ＩＭＥＩＳＶ）、または、移動局に割り当てられる類似の識別子を有している。これは、ピコ基地局、ホーム基地局等の、低電力の基地局のような、他のタイプの無線ネットワークノードのケースにも当てはまりうる。より具体的には、本願の技術は、任意のオペレータ、ベンダ、エリアまたはノードタイプに識別子が使用可能である限りで、中継ノード以外の無線ネットワークノードのためにも使用されうる。１つの例は、ノードがＵＥの機能を備えており、それにより、中継ノードのケースと同様の情報が利用可能である場合である。本技術は、オペレータ以外の何らかのエンティティによってトランスポートが提供されるように無線ネットワークノードが配置される場合の状況にも適用可能である。
【００３２】
ＩＭＥＩは、以下の要素（各要素が１０進数を含む）によって構成される。
・８桁の長さを有する、タイプ割当コード（ＩＭＥＩ−ＴＡＣ）、
・ＩＭＥＩ−ＴＡＣ内の各装置を一意に識別する個別のシリアル番号であり、６桁の長さを有する、シリアル番号（ＳＮＲ：Serial Number）、及び
・チェック・ディジット（ＣＤ）／スペア・ディジット（ＳＤ）。
【００３３】
ＩＭＥＩＳＶは、以下の要素（各要素が１０進数を含む）によって構成される。
・８桁の長さを有する、タイプ割当コード（ＩＭＥＩ−ＴＡＣ）、
・ＩＭＥＩ−ＴＡＣ内の各装置を一意に識別する個別のシリアル番号であり、６桁の長さを有する、シリアル番号（ＳＮＲ）、及び
・モバイル装置のソフトウェア・バージョン番号を識別し、２桁の長さを有する、ソフトウェア・バージョン番号（ＳＶＮ：Software Version Number）。
。
【００３４】
ＩＭＥＩ及びＩＭＥＩＳＶ番号シリーズは、各ノード装置ベンダに対して固有であり、それに含まれる８桁のＩＭＥＩ−タイプ割当コード（ＩＭＥＩ−ＴＡＣ：IMEI-Type Allocation Code）は、ノード装置ベンダを識別する。ベンダには、１つ以上のＩＭＥＩ−ＴＡＣが割り当てられうる。無線ネットワークノード（例えば、中継ノード（ＲＮ））のＩＭＥＩまたはＩＭＥＩＳＶのＩＭＥＩ−ＴＡＣ部分と、ネットワーク・オペレータ識別子とを含むドメイン名（ＤＮ：Domain Name）を構築することによって、あらゆる無線ネットワークノードは、正しいオペレータのネットワーク内の、当該無線ネットワークノードのＯ＆Ｍノードを、構築されたドメイン名を使用してＤＮＳサーバ３０からそのＯ＆ＭノードのＩＰアドレスを検索することで識別できる。また、用語及び頭字語（acronyms）は３ＧＰＰ固有であるものの、ドメイン名は、様々な種類の移動局識別子及びタイプ割当コードの少なくともいずれかを使用して構築されうる。
【００３５】
本例で構築される各ドメイン名は、トラッキングエリアコード（ＴＡＣ：Tracking Area Code）、または中継ノードへのバックホールを提供するセルについての類似のコードを含んでいてもよい。そのようなエリアコードまたはエリア識別子の他の例は、ロケーションエリア識別子、ルーティングエリア識別子等である。ＴＡＣは、同一のベンダからのより多くのＯ＆Ｍシステム・サービング・ノードが存在する場合、各中継ノードを、その固有のエリアをサービングしている、対応するＯ＆Ｍノードに導くために使用されうる。構築されるドメイン名は、同一のベンダからの異なる複数のＯ＆Ｍノードが存在する場合、Ｏ＆Ｍノードの位置を特定する必要があるノードのタイプも含みうる。
【００３６】
図３は、図２に示す、３ＧＰＰタイプの無線通信システム例における、Ｏ＆Ｍノード・ネットワークアドレスを決定するための手順の非限定的な例を示すフローチャートである。ステップＳ１０で、オペレータ識別子ＭＮＣ及びＭＣＣが、ＩＭＳＩから復元される。ＩＭＥＩ−ＴＡＣのような無線ネットワークノード識別子が、無線ネットワークノードに関連付けられたＩＭＳＩまたはＩＭＳＩＳＶから復元される（ステップＳ１１）。ＭＮＣ、ＭＣＣ及びＩＭＥＩ−ＴＡＣから、Ｏ＆Ｍノードのドメイン名が構築または編集されるとともに（ステップＳ１２）、当該ドメイン名が、ＤＮＳサーバ３０へ送信される（ステップＳ１３）。ＤＮＳサーバ３０は、当該無線ネットワークノードの、対応するＯ＆Ｍノード・アドレスを送信し（ステップＳ１４）、当該アドレスは、そのＯ＆Ｍノードと通信し、かつ、設定情報等を取得するために、当該無線ネットワークノードによって使用される。
【００３７】
Ｏ＆Ｍノードのドメイン名は、例えば、3gppnetwork.orgに対するサブドメインとして“oam”を導入し、oam.mnc＜MNC＞.mcc＜MCC＞.3gppnetwork.org を生成することによって、TS 23.003における３ＧＰＰ標準規格に適合するように構築されうる。また、Ｏ＆Ｍノードのドメイン名は、更に、無線アクセス技術及びノードタイプを含んでいてもよい。非限定的な例には、
・ＥＵＴＲＡＮ ＲＡＴ情報
例：eutran.oam.mnc＜MNC＞.mcc＜MCC＞.3gppnetwork.org
・ＵＴＲＡＮ ＲＡＴ情報
例：utran.oam.mnc＜MNC＞.mcc＜MCC＞.3gppnetwork.org
・中継ノード情報
例：rn.oam.mnc＜MNC＞.mcc＜MCC＞.3gppnetwork.org
・ピコノード情報
例：pn.oam.mnc＜MNC＞.mcc＜MCC＞.3gppnetwork.org
・ＥＵＴＲＡＮ中継ノード情報
例：eutran-rn.oam.mnc＜MNC＞.mcc＜MCC＞.3gppnetwork.org
が含まれる。無線アクセス技術及びノードタイプの少なくともいずれかを示すために使用される“リテラル（Literals）”は、異なっていてもよいし、その順序が変更されてもよい。
【００３８】
Ｏ＆Ｍドメイン名は、更に、ベンダを識別する無線ノード識別子の一部を含む。無線アクセスタイプ及びノードタイプの両方がドメイン名に示される場合、ドメイン名の例は、
imei-tac＜IMEI-TAC＞.eutran-rn.oam.mnc＜MNC＞.mcc＜MCC＞.3gppnetwork.org
である。
【００３９】
特定のベンダからのノードを管理するオペレータ・ネットワークには、複数のＯ＆Ｍシステムが存在しうる。したがって、同一のベンダからの異なる無線ネットワークノードは、異なるＯ＆Ｍ ＩＰアドレスに導かれる必要がある。ノードをＯ＆Ｍシステムに割り当てる１つの方法は、トラッキングエリアコードを用いるものである。そして、トラッキングエリアコードの第１のセットに含まれる全てのトラッキングエリアコードは、第１のＯ＆Ｍノードに関連付けられる一方、トラッキングエリアコードの第２のセットに含まれる全てのトラッキングエリアコードは、第２のＯ＆Ｍノードに関連付けられる。Ｏ＆Ｍノードの関連付けは地理的であり、トラッキングエリアコードの第１のセットは地理的エリアＸ内のノードに割り当てられ、トラッキングエリアコードの第２のセットは地理的エリアＹ内のノードに割り当てられる。そして、第１のセットに含まれる全てのトラッキングエリアコードは、ＤＮＳにおいて第１のＯ＆ＭノードのＩＰアドレスに関連付けられ、第２のセットに含まれる全てのトラッキングエリアコードは、ＤＮＳにおいて第２のＯ＆ＭノードのＩＰアドレスに関連付けられる。無線アクセスタイプ及びノードタイプの両方が、ドメイン名に示されている場合、ドメイン名の例は、
tac-lb＜TAC-low-byte＞.tac-hb＜TAC-high-byte＞.imei-tac＜IMEI-TAC＞.eutran-rn.oam.mnc＜MNC＞.mcc＜MCC＞.3gppnetwork.org
である。
【００４０】
１つのＯ＆Ｍノードのみが、特定のベンダからの全ての無線ネットワークノードを管理する場合であっても、無線ネットワークノードは、ドメイン名に、トラッキングエリア情報を含めてもよい。ドメイン名についての関連するＩＰアドレスがＤＮＳに設定されておらず、ＩＰアドレスが無線ネットワークノードに返されない場合、無線ネットワークノードは、リテラルを例えば左側から削除することによって、より短いドメイン名を検索してもよい。これは、無線ネットワークノードが、ドメイン名、
tac-lb＜TAC-low-byte＞.tac-hb＜TAC-high-byte＞.imei-tac＜IMEI-TAC＞eutran-rn.oam.mnc＜MNC＞.mcc＜MCC＞.3gppnetwork.org
を用いてＤＮＳに問い合わせを行うものの、それに応じてＩＰアドレスが得られない場合に、当該無線ネットワークノードが、
imei-tac＜IMEI-TAC＞.eutran-rn.oam.mnc＜MNC＞.mcc＜MCC＞.3gppnetwork.org
のような、より短いドメイン名を構築しうること、及び、それをＩＰアドレス用のドメインネームサーバに送信しうることを意味している。
【００４１】
ＩＰアドレスは、ＴＡＣの上位バイトに基づいて構成されもよく、その場合、無線ネットワークノードは、
tac-hb＜TAC-high-byte＞.imei-tac＜IMEI-TAC＞eutran-rn.oam.mnc＜MNC＞.mcc＜MCC＞.3gppnetwork.org
のようなドメイン名を構築及び送信しうるとともに、応答としてＩＰアドレスを受信しうる。
【００４２】
更に、無線ネットワークノードのタイプがドメイン名の一部であってもよい。また、例えば、ＩＭＥＩまたはＩＭＥＩＳＶが無い、ノード用の専用のベンダ識別子等の、ベンダを識別するための他の仕組みが使用されてもよい。
【００４３】
図４は、第１の中継ノードＲＮ１とＤＮＳサーバとの間の通信のやりとりを示す、図２に示す非限定的な例の３ＧＰＰタイプの無線通信システムについての機能ブロック図である。図５は、第１の中継ノードＲＮ１のＯ＆Ｍノードにアドレス指定される当該第１の中継ノードＲＮ１からの初期通信を示す、図２に示す非限定的な例の３ＧＰＰタイプの無線通信システムについての機能ブロック図である。ここで、中継ノードＲＮ１は、ＩＭＳＩ及びＩＭＥＩＳＶの少なくともいずれかを割り当てられるとともに、ベンダコード00000001で識別されるベンダＡによって提供される。ネットワークオペレータＭＮＣ＝015、及びＭＣＣ＝234が、ＲＮ１のＩＭＳＩから決定され、ＩＭＥＩ−ＴＡＣが、ＩＭＥＩまたはＩＭＥＩＳＶから抽出される。中継ノードＲＮ１は、ドメイン名
imei-tac00000001.eutran-rn.oam.mnc015.mcc234.3gppnetwork.org
を編集し、それをＤＮＳサーバに送信し、当該ＤＮＳサーバは、図４及び図５においてＲＮ Ａ Ｏ＆Ｍとラベル表示された、ベンダＡに関連付けられたＯ＆ＭノードのＩＰアドレスを用いて応答する。
【００４４】
図６は、第１の中継ノードＲＮ１のＯ＆Ｍノードにアドレス指定される当該第１の中継ノードＲＮ１からの、第２の中継ノードＲＮ２の、異なるＯ＆Ｍノードにアドレス指定される当該第２の中継ノードＲＮ２からの、及び、第３の中継ノードＲＮ３の、異なるＯ＆Ｍノードにアドレス指定される当該第３の中継ノードＲＮ３からの初期通信を示す、図２に示す非限定的な例の３ＧＰＰタイプの無線通信システムについての機能ブロック図である。ベンダＡからの中継ノードＲＮ１用の処理についてちょうど説明した。ベンダコード00000002を有するベンダＢからの中継ノードＲＮ２は、１６進数表現で0x0200の、１０進数表現でトラッキングエリアコード512を有するエリアＸに属するトラッキングエリア内に位置付けられている。これは、ＴＡＣ上位バイトが02であり、ＴＡＣ下位バイトが00であることを意味している。中継ノードＲＮ２は、ドメイン名
tac-lb00.tac-hb02.imei-tac00000002.eutran-rn.oam.mnc015.mcc234.3gppnetwork.org
を編集できるとともに、それをＤＮＳサーバに送信できる。同様に、同一のベンダＢからのＲＮ３は、１６進数表現で0x0300の、１０進数表現でトラッキングエリアコード768を有するエリアＹに属する異なるトラッキングエリア内に位置付けられている。このため、ＴＡＣ上位バイトは03であり、ＴＡＣ下位バイトは00である。したがって、中継ノードＲＮ３は、ＤＮＳサーバに送信される以下のドメイン名
tac-lb00.tac-hb03.imei-tac00000002.eutran-rn.oam.mnc015.mcc234.3gppnetwork.org
を編集する。前者のドメイン名は、エリアＸにサービングするＲＮ Ｂ Ｏ＆Ｍ１のＩＰアドレスにマッピングされる一方、後者のドメイン名は、エリアＹにサービングするＲＮ Ｂ Ｏ＆Ｍ２のＩＰアドレスにマッピングされる。
【００４５】
図７は、図４乃至図６に示される例に対応する、非限定的な例のシグナリング図である。１つのオペレータ・ネットワークについて、ＤＮＳサーバには、ベンダ及びエリアの組み合わせごとにドメイン名及びＩＰアドレスが設定されている。各中継ノードは、そのＯ＆Ｍノードについてのドメイン名を編集し、当該ドメイン名をＤＮＳサーバに送信し、返答としてＯ＆ＭノードのＩＰアドレスを受信し、Ｏ＆Ｍノードに対する接続を確立する。
【００４６】
他の非限定的な実施形態では、ドメイン名は、ＩＭＳＩ
＜IMSI＞＝＜MCC＞＜MNC＞＜MSIN上位＞＜MSIN下位＞
に含まれるサブスクリプション識別情報に基づいて生成されてもよい。例えば、同一のベンダからの複数の中継ノードは、同一の＜MSIN上位＞（または、対応する以下の変形を有する、同一の＜MSIN下位＞）を有する、複数のＩＭＳＩの予約セットを割り当てられうる。そのため、TS 23.003を用いて編集するドメイン名は、
msinhigh＜MSIN higher＞.oam.mnc＜MNC＞.mcc＜MCC＞.3gppnetwork.org
のように形成される。このドメイン名は、ノードタイプ、トラッキングエリア、ＲＡＴインジケータ等を用いて（所望の場合または必要な場合には）拡張されてもよい。
【００４７】
更に他の非限定的な実施形態では、ＭＭＥは、ＩＭＥＩ及びＩＭＥＩＳＶの少なくともいずれかを、ＲＮから復元し、その情報を、ＲＮ Ｏ＆Ｍドメイン名を導き出すことに関与するノードに提供するか、あるいは、ＲＮ Ｏ＆ＭトラヒックをＲＮ Ｏ＆Ｍにルーティングする。
【００４８】
図８は、図面に含まれるノードの１つ以上についての上記の動作を実装するために使用されうるネットワークノード１００の、非限定的な例の機能ブロック図である。データプロセッサ１０２は、ネットワークノードの動作全体を制御する。ネットワークノード１００は、無線ネットワークノード（何らかの種類の基地局またはアクセスポイント）であってもよく、そのため、無線通信回路１０４を備えている。代替的または追加的に、ネットワークノード１００は、コアネットワークノードまたは他のネットワークノードであってもよく、その場合、当該ノードが無線で通信をしない限り、無線回路は必要とされなくてもよい。データプロセッサ１０２は、１つ以上のネットワーク通信インタフェース１０６と、メモリ１０８とに接続される。メモリ１０８は、プログラム命令１１０及びデータ１１２を含む。データ１１２には、例えば、無線ノード識別情報（ＩＭＥＩ−ＴＡＣ等）及び無線ネットワーク・オペレータ識別情報（ＭＮＣ、ＭＣＣ等）が含まれる。
【００４９】
例えば無線ネットワークノードの設定の労力が著しく低減されるという事実を含む、説明した技術に対する多数の効果が存在する。Ｏ＆Ｍシステムのアドレスを、全ての中継ノード若しくはＳＩＭカードに設定する代わりに、または全ての無線ネットワークノードにさえも設定する代わりに、あるいはネットワーク内の全ての到達可能なＤＨＣＰサーバに設定する代わりに、ノード・ベンダごとに１つのドメイン名及び１つのＩＰアドレスが、１つのＤＮＳサーバに設定されうる。本技術では、ドメイン名を生成する際に、ドメイン名に含まれるハードウェア・ベンダを区別可能であるとともに、ハードウェア・エンティティのグループについての識別子を使用できる。その結果、オペレータは、手動で全てのＤＨＣＰサーバを設定する必要がない。その代わりに、異なるベンダからの複数のノードが、それぞれの適切なＯ＆Ｍノードを自動的に発見できる。そのため、新たなノード・ベンダを追加するには、煩わしいノード再設定の代わりに、小規模なＤＮＳエントリの追加のみしか必要とされない。
【００５０】
様々な実施形態について詳細に示しかつ説明してきたが、特許請求の範囲は、いずれの特定の実施形態または例に限定されない。上述の説明は、何らかの特定のエレメント、ステップ、範囲または機能が特許請求の範囲の範囲内に含まれなければならなくなるように必須であることを示唆するものと解釈されてはならない。特許される主題の範囲は、特許請求の範囲によってのみ規定される。法的保護の範囲は、許可された特許請求の範囲に記載された文言及びその均等物によって規定される。上述の好適な実施形態の要素に対する、当業者には既知のあらゆる構造上及び機能上の均等物は、本明細書で明示的に参照として組み込まれるとともに、本発明の特許請求の範囲によって包含されるよう意図されている。特許請求の範囲は、“means for”または“step for”が使用されない限り、３５ ＵＳＣ １１２条、第６段落を行使することは意図されていない。更に、本明細書における実施形態、特徴、構成要素またはステップは、いずれもそれらが特許請求の範囲に記載されているか否かによらず、公開専用であることが意図されている。
【図１】
0005876884.tif 000002
【図２】
0005876884.tif 000003
【図３】
0005876884.tif 000004
【図４】
0005876884.tif 000005
【図５】
0005876884.tif 000006
【図６】
0005876884.tif 000007
【図７】
0005876884.tif 000008
【図８】
0005876884.tif 000009